(57)【要約】  本発明は、対向する近位端及び遠位端を有する電源本体（２４）、前記電源本体との関係で同軸で移動可能なように配置されるプランジャロッドドライバー（４４）、前記プランジャロッドドライバーとの関係で同軸で移動可能なように配置されるプランジャロッド（７２）、前記プランジャロッド（７２）と前記電源本体の間で操作可能なように接続される付勢ばね要素（７８）を有し、プランジャロッドドライバーは注入張力を受けた状態で前記付勢ばね要素により前記プランジャロッドを解放可能に保持するために前記プランジャロッド（７２）上の第２の保持要素（７６）および電源本体と相互作用するするよう配置された第１の保持要素（６６，６８）、貫通張力がかかった状態で前記プランジャロッドドライバーを解放可能に保持するために前記電源本体（２４）上の第４の保持要素（４１）と相互作用するよう配置される第３の保持要素（５６）、薬剤容器ホルダー（９２）の上で第２の取付要素（１０８）と相互作用し、２つの取付要素をともに接続可能に配置される第１の取付要素（５２）、プランジャロッドが貫通張力を受けた状態から解放された後、遠位方向へのプランジャロッドドライバー（４４）の任意の動きを遮断するために、前記電源ユニット（２４）上の第２の遮断要素（４３）と相互作用するよう配置される第１の遮断要素（６２）、を備える薬剤搬送装置のための電源ユニットに関する。
2016527036.tif 000002
【特許請求の範囲】
【請求項１】
薬剤搬送装置用の電源ユニットであって、
対向する近位および遠位の端部を有する電源本体（２４）と、
前記電源本体との関係で同軸で移動可能に配置されたプランジャロッドドライバー（４４）と、
前記プランジャロッドドライバーとの関係で同軸で移動可能に配置されたプランジャロッド（７２）と、
前記プランジャロッド（７２）と前記電源本体との間で操作可能に接続された付勢ばね要素（７８）とを備え、
前記プランジャロッドドライバーが、
注入張力状態で前記付勢ばね要素（７８）で前記プランジャロッド（７２）を解放可能に保持するために前記プランジャロッド（７２）上の第２の保持要素（７６）および電源本体の壁（４２）と相互作用するよう配置される第１の保持要素（６６）と、
貫通張力状態で前記プランジャロッドドライバーを解放可能に保持するために前記電源本体（２４）上の第４の保持要素（４１）と相互作用するように配置される第３の保持要素（５６）と、
薬剤容器ホルダー（９２）上の第２の取付要素（１０６）と相互作用するよう配置され、２つの取付要素をともに接続可能な第１の取付要素（５２）と、
プランジャロッドドライバーが貫通張力状態から解放された後前記プランジャロッドドライバー（４４）の遠位方向への任意の動きを遮断するために前記電源本体（２４）上の第２の遮断要素（４２）と相互作用するよう配置された第１の遮断要素（６２）とを備える、薬剤搬送装置用の電源ユニット。
【請求項２】
前記第１の取付要素（５２）が少なくとも１つの係止突起を備え、前記第２の取付部（１０６）が前記少なくとも１つの係止突起に適合されるよう配置された凹部（１０８）を備えた少なくとも１つの可撓性のアームを備える、請求項１に記載の電源ユニット。
【請求項３】
前記第１の保持要素（６６）が突起（６８）を有する遠位方向を向いた可撓性のアームを備え、前記第２の保持要素（７６）が接触表面を備える、請求項１または２に記載の電源ユニット。
【請求項４】
前記第３の保持要素（５６）が突起（５８）を有する可撓性の舌部を備え、前記第４の保持要素（４１）が電源本体上の細長い開口部（４０）に設けられる横断的で遠位方向を向いた接触端面を備える、請求項３に記載の電源ユニット。
【請求項５】
前記電源本体の壁（４２）が前記プランジャロッドドライバーの前記第１の保持要素（６６）が径方向外側に曲がるのを防止するよう前記プランジャロッドドライバー（４４）が前記電源本体に同軸に配置されるよう構成され、注入張力状態で前記プランジャロッド（７２）および前記付勢ばね要素（７８）を保持するために前記第１の保持要素（６６）の前記突起（６８）が前記第２の保持要素（７６）と接触して保持され、前記プランジャロッドドライバーの前記第３の保持要素（５６）が貫通張力状態で前記プランジャロッドドライバーを保持するために前記電源本体の前記第４の保持要素（４１）上に存在するよう構成される、請求項４に記載の電源ユニット。
【請求項６】
前記第１の遮断要素（６２）が突起（６４）を有する可撓性のアームを備え、第２の遮断要素（４３）が前記電源本体の細長い開口部（４０）上に横断的で近位方向を向いた接触端面を備える、請求項１から４のいずれかに記載の電源ユニット。
【請求項７】
薬剤搬送装置であって、概ね管状で長手方向の軸（L）に沿って近位及び遠位の端部（１４）を有するハウジング（１０）内に配置される前記電源ユニットを備え、前記薬剤搬送装置はさらに、
薬剤を含む部屋および軸方向に可動なストッパー（８６）を備える、薬剤搬送部（９４）が設けられた薬剤容器（８８）を支持可能な薬剤容器ホルダー（９２）と、
前記ハウジング（１０）に同軸でかつスライド可能に配置された概ね管状の薬剤搬送部シールド（１１８）と、
前記薬剤搬送部シールド（１１８）を近位方向に付勢するよう操作可能に配置された薬剤搬送部シールド付勢要素（１３６）と、
を備える請求項１から６のいずれかに記載の薬剤搬送装置。
【請求項８】
前記第３の保持要素が概ね内側に動くよう付勢され、それにより前記プランジャロッドドライバーが貫通張力状態から解放されるよう、前記管状の薬剤搬送部シールド（１１８）がハウジングとの関係で遠位方向に動いた際、前記第４の保持要素（４１）上に存在する前記第３の保持要素（５６）と相互作用するよう概ね管状の薬剤搬送部シールド（１１８）が構成された請求項７に記載の薬剤搬送装置。
【請求項９】
前記プランジャロッドドライバー（４４）が貫通張力状態から解放された後に前記第１の遮断要素（６２）が前記第２の遮断要素（４３）と相互作用するために前記電源本体（２４）の開口部（４０）内で突出し、これにより薬剤容器ホルダー（９２）およびプランジャロッドドライバー（４４）が薬剤搬送部シールド付勢要素（１３６）により遠位方向に移動するのが防止されるようプランジャロッドドライバー（４４）がプランジャロッド（７２）とともに電源本体との関係で可動な、請求項８記載の薬剤搬送装置。
【請求項１０】
前記プランジャロッドドライバー（４４）が貫通張力状態から解放された後に前記プランジャロッドドライバー（４４）の前記第１の保持要素（６６）が前記電源本体（２４）の前記壁（４２）から移動して径方向外側に曲がり、これにより前記プランジャロッド（７２）と前記付勢ばね要素（７８）を注入張力状態から解放するために前記プランジャロッドドライバーの前記第１の保持要素（６６）が前記第２の保持要素（７６）と接触から脱するように動かされるよう、プランジャロッドドライバー（４４）はプランジャロッド（７２）とともに電源本体との関係で移動可能な、請求項８または９に記載の薬剤搬送装置。
【請求項１１】
前記薬剤搬送部シールド（１１８）上に配置された可撓性の第１の係止要素（１３０）をさらに備え、可撓性の第１の係止要素（１３０）が概ね遠位方向に延び、前記ハウジング（１０）に配置される第２の係止要素（１３２）と操作可能に係合し、前記前記第１及び第２の係止要素は前記薬剤搬送部シールド付勢要素（１３６）が前記薬剤搬送部シールド（１１８）を薬剤搬送後に近位方向に促し、その結果薬剤搬送部（９４）をシールドする際に前記薬剤搬送部シールド（１１８）を係合して係止するように配置される請求項１０に記載の薬剤搬送装置。
【請求項１２】
前記第１の係止要素（１３０）が長手軸（L）と概ね垂直方向に可撓性の自由端部を有する少なくとも２つの舌部を備える、請求項１１に記載の薬剤搬送装置。
【請求項１３】
前記第１の係止要素（１３０）は傾斜して配置され、長手軸（L)との関係で外側に延びる、請求項１２に記載の薬剤搬送装置。
【請求項１４】
前記第２の係止要素（１３２）が前記第１の係止要素が係合のためにその内部に嵌合される１つの凹部を有する少なくとも１つの近位方向を向いた棚部（１３４）を備える、請求項１１から１３のいずれかに記載の薬剤搬送装置。
【発明の詳細な説明】
【技術分野】
【０００１】
技術分野
本発明は装置からユーザーへの薬剤投与量の搬送を容易にするために多数の自動的な機能が配置された薬剤搬送装置内に配置される電源ユニットに関する。
【背景技術】
【０００２】
発明の背景
多くの薬剤搬送装置は、例を挙げるだけでも、搬送後に薬剤搬送部の貫通、注入、引き抜きおよび/または保護などの多くの自動的な誘発機能が配置される。
【０００３】
これらの機能の多くは多数の要素を必要とし、装置をむしろ複雑にすると同時に、機能それ自体は自動であるにも関わらず、一部のユーザーが実行するには困難であるかもしれない操作上の側面も必要とされる。また多数の要素を相互作用させようとする際に操作上の許容差の連鎖が極めて複雑になることを要する異なる要素間の相互作用に関する側面がある。
【０００４】
このため多くの装置では機能の複雑さを低減し同様に許容差の連鎖を減らすためにできる限り要素の数を少なくすることが好ましい。さらに薬剤の操作および管理の観点から明確かつ簡潔な操作のために装置の要素の数は少なく保たれるべきである。製造の側面においては、できる限り少ない要素および/または１つの要素における複数の機能の提供がしばしば望まれる。
【０００５】
構成要素の数をできる限り少なく維持するために、いくつかの装置は貫通動作およびその後の注入動作の両方に単一のばねを使用する。そこで一般的な解決策は薬剤容器内で順にストッパーに作用するプランジャロッドに単一のばねを作用させることである。そこでプランジャロッドは貫通を実行するために薬剤容器を近位方向に押す。
【０００６】
薬剤は非圧縮性で、また薬剤搬送部を通る通路は非常に小さいので近位方向への移動が可能である。しかしながら、薬剤の一部は貫通中に放出され、これは薬剤が貫通の所定の深さで搬送されることが重要ないくつかの治療において明確な欠点であろう。
【発明の概要】
【発明が解決しようとする課題】
【０００７】
複数の機能が配置された薬剤搬送装置の分野において改善の余地がある。
発明の簡潔な説明
ここで使用される「液体」という用語は一般に操作する温度において液体として動作するすべての溶液、懸濁液、乳状液、油、ゲルおよびこれらに類するものを包含する。この用語は明示的に液体容器中の溶解または分散された固体組成物も含む。高粘性液体となる素材もまた含まれる。
【０００８】
本出願では、「遠位部/端部」という用語が使用された場合、これは患者の搬送先から使用中に装置の最も離れた場所に位置する医療用搬送装置の部分/端部またはその部材の部分/端部を指す。これに対応して、「近位部/端部」という用語が使用された場合、これはこれは患者の搬送先から使用中に装置の最も近くの場所に位置する医療用搬送装置の部分/端部またはその部材の部分/端部を指す。
【０００９】
本発明の目的は、従来技術の上記の欠点を改善することである。この目的は独立請求項の構成により得られる。本判明の好ましい実施例は従属請求項の主題を形成する。
【課題を解決するための手段】
【００１０】
好ましい解決策によれば、薬剤搬送装置のための電源ユニットが開示される。電源ユニットは対向する近位端および遠位端を有する電源本体を備えてもよい。好ましくは電源本体は薬剤搬送装置のハウジングに固定的に配置することができる。電源本体はさらに概ね管状で、薬剤搬送装置の長手方向に配置される。
【００１１】
さらに、電源ユニットは前記電源本体との関係で同軸で移動可能な同軸のプランジャロッドドライバーを備えることができる。さらにプランジャロッドドライバーは概ね管状の形状でもよい。プランジャロッドドライバーは電源本体内に部分的に同軸に配置されてもよい。電源ユニットのさらに好ましい構成要素はプランジャロッドである。プランジャロッドはさらに電源ユニットが配置されるべき装置の長手方向に沿って前記プランジャロッドドライバーとの関係で同軸に移動可能に配置されてもよい。プランジャロッドはプランジャロッドドライバー内で部分的に同軸に配置されてもよい。
【００１２】
プランジャロッドを長手方向に、より具体的には近位端部に向かって動かすために、前記プランジャロッドと前記電源本体との間に付勢ばね要素が動作可能に有利に接続されてもよい。
【００１３】
好ましい実施例によれば、注入張力を受けた状態で付勢ばね要素でプランジャロッドを解放可能に保持するために、プランジャロッドドライバーはプランジャロッドの第２の保持要素および電源本体、より具体的には電源本体の壁と相互作用する第１の保持要素を備えてもよい。こうしてプランジャロッドは張力のかかったばね要素によって解放され駆動されるよう準備される。第１および第２の保持要素は続く注入のために電源ユニットを起動し使用準備するよう協働する。第１の保持要素は１つの好ましい実施例において、その自由端に突起、より具体的には、径方向内側に向いた突起を有する遠位方向を向いた可撓性アームを備え、第２の保持要素が遠位方向の可撓性アームの突起上に接触表面を備える。
【００１４】
さらに実現可能な解決策によれば、プランジャロッドドライバーが貫通張力状態で前記電源本体上で前記プランジャロッドドライバーを解放可能に保持するために第４の保持要素と相互作用するよう配置される第３の保持要素を備えてもよい。こうしてプランジャロッドドライバーはまた、張力のかかったばね要素により活性化と駆動の準備がなされ、第３と第４の保持要素が続く貫通のために電源ユニットを起動し使用準備するよう協働する。第３の保持要素は好ましくは、突起より具体的には径方向外側を向いた突起を有する可撓性の舌部を備え、第４の保持要素が接触表面、より具体的には径方向外側を向いた突起が横断し遠位方向を向いた端部接触表面上に存在するように電源本体の細長い開口部上に横断し遠位方向を向いた端部接触表面を備えてもよい。
【００１５】
こうして、プランジャロッドドライバーは電源本体の壁がプランジャロッドドライバーの第１の保持要素が径方向外側に曲がるのを防止してこれにより第１の保持要素の突起がプランジャロッドと前記付勢ばね要素を注入張力のかかった状態で保持するために第２の保持要素との接触を保持するよう電源本体内に同軸に配置されるよう構成され、プランジャロッドドライバーの第３の保持要素が貫通張力のかかった状態でプランジャロッドドライバーを保持するために電源本体の第４の保持要素上に存在するよう構成される。
【００１６】
電源ユニットのプランジャロッドドライバーは好ましくはさらに薬剤搬送装置の薬剤容器ホルダー上で第２の取付要素と相互作用するよう第１の取付要素がを備えてもよい。この解決策では、プランジャロッドドライバーと薬剤容器ホルダーが単一のユニットとして操作できるよう相互接続されてもよい。第１の取付要素は少なくとも１つのプランジャロッドドライバーの近位領域上の係止突起を備えてもよく、第２の取付部は前記の少なくとも１つの係止突起に適合されるよう配置された凹部の設けられた少なくとも１つの可撓性アームを備える。
【００１７】
電源ユニットのさらに好ましい態様によれば、プランジャロッドドライバーは、さらにプランジャロッドドライバーが貫通張力から解放された後前記プランジャロッドドライバーの遠位方向への任意の動きを遮断するために前記電源本体上の第２の遮断要素と相互作用するように配置された第１の遮断要素が配置されてもよい。第１の遮断要素は突起を有する可撓性アームを備えてもよく、第２の遮断要素は横断的で近位方向を向いた、電源本体の細長い開口部上に設けられた端部接触表面を備えてもよい。
【００１８】
この解決策では、プランジャロッドドライバーが貫通張力から解放された後で前記プランジャロッドドライバーの遠位方向への任意の動きが遮断される。そしてプランジャロッドドライバーが遠位方向に戻るのを遮断した後、プランジャロッドドライバーは付勢ばね要素により近位方向の特定の位置に移動させられる。これはその後の動作および/または機能の構成要素が利用するための固定部として動作してもよい。
【００１９】
好ましい実施例によれば、本発明に係る電源ユニットを備える薬剤搬送装置を備えてもよい。電源ユニットは概ね長手方向軸（L)に沿って対向する近位および遠位の端部を有する概ね管状のハウジング内に配置されてもよい。さらに、薬剤搬送装置は薬剤容器が薬剤を含む部屋と軸方向に移動可能なストッパーとを備える薬剤搬送部が設けられた薬剤容器を支持できるような薬剤容器ホルダーを備えてもよい。
【００２０】
薬剤搬送装置はまた、概ね管状のハウジング内で同軸にスライド可能に配置された、近位方向に薬剤搬送部シールドを付勢するよう操作可能に配置された薬剤搬送部シールド付勢部を備えた薬剤搬送部シールドで構成されてもよい。
【００２１】
別の好ましい解決策によれば、薬剤搬送部シールドは概ね遠位方向に延在し前記ハウジングに配置された第２の係止要素と操作可能に係合するよう配置されてもよい可撓性の第１の係止要素が配置されてもよい。第１および第２の係止要素は、前記薬剤薬剤搬送部シールド付勢要素が薬剤搬送の後、前記薬剤搬送部を近位方向に促しこれによりシールディングする際、薬剤搬送部シールドを係合し係止するよう構成されてもよい。この解決策では、薬剤搬送部によって生じる偶発的損傷のリスクを大幅に低減し、薬剤搬送部の非常に頑丈で安全なシールディングを得ることができる。
【００２２】
さらに、第１の係止要素は、長手方向の軸（L）に概ね垂直方向の可撓性自由端部を有する少なくとも２つの舌部を備える。第１の係止要素は傾斜して配置され、長手方向の軸との関係で外側に延びる。それぞれの第２の係止要素は前記第１の係止要素が嵌合する場となる１つの凹部を有する少なくとも１つの近位方向を向いた棚部を備える。
【００２３】
概ね管状の薬剤搬送部シールドは、第３の保持要素が概ね内側に移動するよう付勢され、これにより貫通張力がかかった状態から解放されるよう、管状の薬剤搬送部シールドがハウジングとの関係で遠位方向に移動した際、第４の保持要素上に存在する第３の保持要素と相互作用するように構成される。
【００２４】
さらに、プランジャロッドおよびプランジャロッドドライバーは、プランジャロッドドライバーが貫通張力状態から解放された後、第１の遮断要素が第２の遮断要素と相互作用するために電源本体の開口部内に移動しこれにより薬剤容器ホルダーとプランジャロッドドライバーが薬剤搬送部シールド付勢要素によって遠位方向に移動するのを防止するよう、前記電源本体との関係で移動可能である。プランジャロッドおよびプランジャロッドドライバーはさらに、プランジャロッドドライバーが貫通張力のかかった状態から解放された後、プランジャロッドドライバーの第１の保持要素が電源本体の壁から移動し径方向外側に曲がり、これによりプランジャロッドドライバーの第１の保持要素が注入張力状態からプランジャロッドと前記付勢ばね要素を解放するために、第２の保持要素との接触を脱して移動するよう、電源本体との関係で可動である。
【００２５】
これらのおよびその他の態様の利点は以下の詳細な説明と添付の図面により明らかになるであろう。
【００２６】
図面の簡単な説明
以下の本発明の詳細な説明は、添付している図面を参照できる。
【図面の簡単な説明】
【００２７】
【図１】薬剤搬送装置の実施例の斜視図である。
【図２】図１の実施例の展開図である。
【図３ａ】図１の装置の互いに９０°とった長手方向の断面図である。
【図３ｂ】図１の装置の互いに９０°とった長手方向の断面図である。
【図４】図１の装置内に備えられる要素の詳細図である。
【図５】図１の装置内に備えられる要素の詳細図である。
【図６】図１の装置内に備えられる要素の詳細図である。
【図７】図１の装置内に備えられる要素の詳細図である。
【図８】図１の装置内に備えられる要素の詳細図である。
【図９】図１の装置内に備えられる要素の詳細図である。
【図１０】図１の装置内に備えられる要素の詳細図である。
【図１１】異なる機能状態の図１の装置の断面図である。
【図１２】異なる機能状態の図１の装置の断面図である。
【図１３】異なる機能状態の図１の装置の断面図である。
【図１４】異なる機能状態の図１の装置の断面図である。
【発明を実施するための形態】
【００２８】
本発明の詳細な説明
図１では図に示された実施例は、長手方向の軸Lに沿って遠位端部１２および近位端部１４を有する概ね管状で細長いハウジング１０を備える。ハウジングにはその近位領域に開口部または窓１６が配置される。近位端部には保護カバーまたはキャップ１８がハウジングの近位端部に着脱可能に取付けられるよう配置され、遠位端には端部キャップ２６が配置される。機械的な部位が互いに相互作用するよう単に摩擦圧で嵌合させるなどいくつかの異なる活用可能な取付手段がある。図３aでは、ハウジング１０の内部にその遠位端部に電源ユニット２０が配置され、薬剤搬送ユニット２２がハウジングの近位端部に配置される。
【００２９】
図４−５では、電源ユニット２０は、電源本体と以後名付けられる概ね管状の本体を備える。電源本体の遠位端に、適切な取付手段で端部キャップ２６が取付けられる。図示された実施例では取付手段は電源本体の側面表面上の径方向外側に延びる突起２８を備え、端部キャップ２６の内側表面上に環状に延びる溝３０と協働する。電源本体２４はさらに環状に延びる図５aでは棚部３２がさらに配置され、棚部３２は電源本体をハウジングに固定するためにハウジング１０の遠位端の内側表面において図９の円周型の溝３４と協働する。電源本体２４がハウジング１０に接続される際、さらに電源本体の棚部３６が図９のハウジング１０の遠位方向を向いた端部表面３８に当接するよう設計される。
【００３０】
電源本体２４は円筒壁４２と近位端に向かって長手方向に延びる２つの表面を形成する長手方向Ｌに延びる２つのカットアウトで構成される。それぞれの長手方向に延びる表面は細長い開口部４０を備える。それぞれの細長い開口部４０には以下第４の保持要素という保持要素４１と、以下第２の遮断要素という遮断要素４３が配置される。図示された実施例では、第４の保持要素４１は細長い開口部４０の近位側端部に位置するよう横断的で遠位方向を向いた端部接触表面が配置され、第２の遮断要素４３は開口部４０の遠位側端部に位置するよう横断的で近位方向を向いた端部接触表面が配置される。
【００３１】
図５および６では電源ユニット２０はさらに、電源本体２４の内部でそれと同軸に移動できるよう配置されたプランジャロッドドライバーを構成する。プランジャロッドドライバー４４は概ね管状の本体４６を備える。図６では、本体４６の近位端は概ね中央に円形の通路５０を有する端部表面４８が配置される。端部表面４８の側面には２つの取付要素５２が配置され、図示された実施例では、係止突起が概ね端部表面とは反対側に位置するよう配置される。プランジャロッドドライバーの本体４６は、図示された実施例では装置の近位端部方向に向かう自由端を有する可撓性の舌部が配置される、第３の保持要素がさらに配置される。第３の保持要素５６は概ね管状の本体４６の対向する側面に位置する。それぞれの第３の保持要素５６すなわち舌部は自由端上に位置する概ね外側に延びる突起５８を備える。それぞれの突起５８は図６に見られるように傾斜面６０が配置される。
【００３２】
本体４６はさらに第１の遮断要素６２が配置され、図示された実施例では本体４６の端部表面から延びる遠位方向を向いた可撓性アームが配置され、長手方向に見て概ね第３の保持要素５６と列をなして位置する。図示された実施例のそれぞれの第１の遮断要素６２は概ね楔形で側面から見て径方向外側に延びる突起６４を備える。本体４６はさらに第１の保持要素６６が配置され、図示された実施例では本体の端部表面から延びる遠位方向を向いた可撓性のアームが配置される。それぞれの第１の保持要素６６は図６に見られるように横断面において楔形状を有し径方向内側に延びる突起６８を備える。第１の保持要素６６の遠位端は、第１の保持要素６６が径方向外側に動くことを遮断するために図３aのように電源本体２４の壁４２に嵌合するよう設計される。
【００３３】
電源ユニット２０はさらに図５bのように第１の直径を有する概ね円形の断面を有する概ね細長いプランジャロッド７２を備える。プランジャロッドの遠位領域７４は第１の直径よりも大きい第２の直径を備える。プランジャロッドは図示された実施例では第１および第２の直径の間の接触表面である第２の保持要素７６を備える。前記接触表面は通常は長手方向Ｌに対して傾いている。第２の保持要素７６はプランジャロッドドライバー４４上で第１の保持要素６６の傾いた楔形の突起６８と協働するよう意図されている。図２および３のプランジャロッドドライブ部または付勢ばね要素７８はさらにプランジャロッド７２内の細長い空洞内に配置される。図示された実施例では、付勢ばね要素７８は図３のように、電源ユニットが組み立てられた状態でプランジャロッド７２の近位端の壁８０と電源本体２４の近位方向の表面８２との間で圧縮される圧縮ばねである。プランジャロッドの近位端は図３aのように薬剤搬送ユニット２２内に構成される薬剤容器８８の可動ストッパー内の通路内に嵌合するよう意図したピン８４またはガイドが提供されてもよい。薬剤容器８８はその遠位端部において横断的に伸びる棚８９が配置される。図３bのガイドピン９０はよじれを防止するためにさらに圧縮ばね７８の内側に配置される。
【００３４】
図８では、薬剤搬送ユニット内に構成されるストッパー８６を備える薬剤容器８８は、概ね細長い薬剤容器ホルダー９２にその遠位端部から挿入することが意図されている。薬剤容器８８は図３aのように注射針のような薬剤搬送部９４が統合または接続いずれかの方法で提供される。薬剤搬送部は好ましくはリング状の壁を通じて突出するガード９８が提供される。ガードは堅い針シールドまたは図に示されたRNSのような任意の適切な設計でもよい。薬剤容器８８は薬剤が見えるよう透明な素材で形成されるのが好ましい。図８では、薬剤容器８８は、その遠位端に横断する棚部またはフランジが配置される。
【００３５】
減衰装置１００は外側表面が薬剤容器ホルダー内のカットアウト１０４に嵌め込まれた外向きの突起１０２を通じて薬剤容器の遠位端部で接続される。薬剤容器ホルダー９２はたとえば端部表面から延びる遠位方向を向いた可撓性アームなどさらに第２の取付要素１０６が配置される。それぞれの第２の取付要素１０６には実施例のプランジャロッドドライバー４４の突起などのそれぞれの第１の取付要素５２と協働するカットアウト、凹部、または通路１０８が配置され、これにより電源ユニット２０が薬剤搬送ユニット２２と接続される。薬剤容器ホルダー９２は近位方向を向いた自由端を有する舌部１１２を形成する概ねＵ型のカットアウト１１０がさらに配置される。舌部１１２の自由端部には径方向外側を向いた突起１１４が配置され、近位方向を向いた突起１１４の表面は図９のハウジング１０の内側表面上の遠位方向を向いた棚部１１６と協働することが意図される。図示された実施例では棚部１１６はハウジング１０の窓１６の遠位端部に隣接する。好ましくは薬剤容器ホルダーは薬剤容器８８およびその内容物が見えるよう透明な素材で設計される。
【００３６】
薬剤搬送ユニットはさらに図２および図１０のようにハウジングとの関係で長手方向に移動可能に配置された薬剤搬送部シールド１１８を備える。この点において、薬剤搬送部シールド１１８はハウジング１０の内径よりもやや小さい直径を有する概ね管状の本体として配置される。薬剤搬送部シールド１１８は薬剤容器を見ることのできる細長い開口部１２０を備える。図１０のように開口部は近位方向を向いた端部表面１１９に配置される。また薬剤容器ホルダー９２の舌部１１２の突起１１４が開口部１２０を突出するよう配置される。薬剤搬送部シールド１１８はまた開口部１２０のそれぞれの側面上に長手方向に延びるガイド表面１２２を備え、ガイド表面は図９のようにハウジング１０の内側表面上の窓のそれぞれの側面上で長手方向に延びる棚１２４と協働する。
【００３７】
薬剤搬送部シールド１１８はさらにハウジング１０の内側表面の遠位方向を向いた図９の棚１２８と協働することを意図した近位方向を向いた棚部１２６が配置される。また、薬剤搬送部シールド１１８には遠位方向に自由端部を有する可撓性の第１の係止要素１３０が配置される。本実施例における可撓性の第１の係止要素１３０は長手方向との関係において外側に一定の傾斜が設けられるよう設計された舌部である。可撓性の第１の係止要素１３０は概ね遠位方向に延びるよう配置されさらにハウジング１０の内側表面上に配置された第２の係止要素１３２と操作可能に係合される。図１０では、本実施例における第２の係止要素１３２はハウジングの近位領域の内側表面上の凹部である。凹部は近位方向を向いた端部表面１３４に形成される。第１および前記第２の係止要素は薬剤搬送部シールド付勢要素１３６が薬剤搬送後前記薬剤搬送部シールド１１８を近位方向に促しこれにより薬剤搬送部９４をシールディングする際、薬剤搬送部シールド１１８を係合し係止する。
【００３８】
図１０で可撓性の第１の係止要素１３０の自由端部は第２の係止要素１３２たとえばハウジングの近位領域の内側表面上の凹部内に位置する。第２の係止要素１３２たとえば凹部は近位方向の端部表面１３４にもたらされる。薬剤搬送部シールド１１８はさらに図３に示された実施例では圧縮ばねである薬剤搬送部シールド付勢要素１３６が配置される。圧縮ばねは図３の薬剤搬送部シールドの遠位方向を向いた端部１３８と図８の薬剤容器ホルダー９２の近位方向を向いた棚表面１４０の間に嵌合される。
【００３９】
保護キャップ１８はまた図３のように概ね管形状で端部壁１４４を有する装置に適用される。搬送部ガード除去部１４６が保護キャップ１８に配置される。図示された実施例では搬送部ガード除去部１４６は搬送部ガード９８を取り囲む端部壁１４４の内側表面に管状部位が接続するよう配置される。除去部は後に説明するようにガード９８を把持できるように把持部を備える。
【００４０】
装置がユーザーに搬送された際、電源ユニットは、プランジャロッドドライバー４４により注入張力状態でプランジャロッド７２と付勢ばね要素７８が保持されていることを意味する組み立てられた状態で、プランジャロッドドライバー４４が電源本体２４により貫通張力状態で保持され、電源本体はハウジングに固定して接続されるよう付勢ばね要素７８が圧縮される。プランジャロッドドライバー４４は、電源本体の壁４２が注入張力状態でプランジャロッド７２および前記付勢ばね要素７８を保持するために、突起６８が第２の保持要素すなわちプランジャロッドの接触表面に保持されてプランジャロッドドライバー４４の第１の保持要素６６が径方向外側に曲がるのを防止するよう電源本体２４の中に同軸に配置される。また、プランジャロッドドライバー４４の第３の保持要素５６は貫通張力状態でプランジャロッドドライバー４４を保持するために第４の保持要素４１すなわち電源本体２４の接触表面と接触する。薬剤容器８８は薬剤容器ホルダーに取り付けられ、減衰部１００の遠位方向を向いた表面と近位方向を向いたプランジャロッドドライバー４４の表面との間に位置する棚部８９において保持される。薬剤搬送ユニットは電源ユニットと接続される。
【００４１】
装置が使用される際、保護キャップ１８が取り外される。取外しにより針シールド除去部１４６が針シールド９８を薬剤搬送部９４から把持し引き出す。図１１は使用準備のできた装置である。薬剤搬送部９４は現在は薬剤搬送部シールド１１８の内部にあるが、薬剤搬送部シールド１１８はハウジング１０との関係で自由に動くことができる。薬剤搬送部シールド１１８はしかしながら、延長部分が薬剤搬送部シールド１１８の開口部１２０の表面近位方向の端部１１９に存在する薬剤容器ホルダー９２の突起１１４によって制限される薬剤搬送部シールド付勢要素１３６によって近位方向に促される。ユーザーはそこで薬剤搬送部シールドがハウジング内で遠位方向に動かされる患者の投薬搬送部位とは反対方向に薬剤搬送部シールド１１８の近位端部を押す。その動きはまた薬剤搬送部シールド１３６に張力をかける。
【００４２】
薬剤搬送部１１８の遠位方向を向いた端部表面は第４の保持要素４１上に存在する第３の保持要素５６と接触するに至る。第３の保持要素上の薬剤搬送部シールド１１８の動きは概ね内側方向に付勢し、これによりプランジャロッドドライバー４４が貫通張力状態から解放される。付勢ばね要素７８が圧縮された状態であるため、プランジャロッド７２は近位方向へ付勢され、プランジャロッド７２が第１の保持要素６６によりプランジャロッドドライバー４４に係止され、第２の保持要素に接触し続けているため、プランジャロッド７２およびプランジャロッドドライバー４４は近位方向に付勢される。第１の保持要素６６は電源本体の壁４２によってその位置に保持される。第１および第２の取付要素の接続により、第１の取付要素５２すなわち嵌合する突起と第２の取付要素１０６すなわちカットアウトを備えた遠位方向を向いた可撓性アームによってプランジャロッドドライバー４４の薬剤容器コンテナ９２への取付が可能となり、また薬剤容器ホルダー９２とそれに伴う薬剤容器８８が薬剤搬送部９４とともに近位方向に移動されて、図１２a,bのように患者の組織に薬剤搬送部が侵入する。薬剤搬送部シールド付勢要素１３６はさらに薬剤搬送部シールド１１８が遠位方向に移動する際圧縮される。プランジャロッドドライバーが貫通張力状態から解放された後もしくは直後に、第１の遮断要素６２が薬剤容器９２およびプランジャロッド４４が薬剤搬送部シールド付勢要素１３６により遠位方向に動くのを防止すなわち遮断するよう、より具体的には第１の遮断要素６２の突起６４が第２の遮断要素４３たとえば図１４ｂのような電源本体２４の細長い開口部４０の近位方向の端部表面と接触するよう第１の遮断要素６２が第２の遮断要素と接触するように、図１３ｂのように電源本体２４の開口部４０内に移動する。
【００４３】
薬剤容器が近位方向に一定の侵入の深さに対応した一定の長さ移動した際、薬剤容器８８の動きは薬剤容器ホルダー９２のアーム１１２の突起１１４がハウジング１０の内側表面上で遠位方向の棚と接触するという方法で止められる。この位置の直前でプランジャロッドドライバー４４とプランジャロッド７２は実施例の１２aのように第１の遮断要素６６たとえばプランジャロッドドライバー４４の可撓性アームが電源本体２４の壁４２から抜けるよう電源本体２４との関係で移動される。第１の保持要素６６はこうして径方向外側に自由となり、プランジャロッドドライバーの第１の保持要素が第２の保持要素すなわちプランジャロッド７２の接触表面たとえば注入張力状態から前記付勢ばね要素７８付きのプランジャロッド７２を解放するなどにより接触から脱するよう移動する。
【００４４】
プランジャロッド７２は今は付勢ばね要素７８の力によりそれ自体近位方向に自由に移動可能である。薬剤容器ホルダー９２は今は第１の遮断要素６２と第２の遮断要素４３の相互作用および薬剤容器ホルダー９２のアーム１１２の突起１１４とハウジング１０の内側表面の遠位方向の棚１１６の相互作用により固定される。プランジャロッド７２の動きは今はストッパー８６を薬剤容器内部で近位方向に移動させ、図１３のように代わりに一定量の薬剤を薬剤搬送部内に搬送する。
【００４５】
一連の注入が終了した際、装置は投薬搬送部位から引き出されてもよい。薬剤搬送部シールド１１８の棚表面１３８と薬剤容器ホルダーの表面１４０の間に対応する薬剤搬送部シールド付勢要素１３６は今は図１４のように薬剤搬送部シールドを近位方向に押すことができる。薬剤搬送部シールドは、薬剤搬送部シールド１１８の細長い開口部１２０の近位方向の端部表面１１９が図１４aのように薬剤容器ホルダー９２の突起１１４の遠位方向の表面と接触するように動き、突起１１４が上記で説明したようにハウジングの棚１１６と接触する際、注射針をシールドしながら最も近位の位置で止まる。
【００４６】
薬剤搬送部シールド１１８の第１の係止要素１３０は今はその自由端部が第２の係止部たとえば実施例のハウジングの凹部に接触して位置するよう動かされ、アームの遠位方向の端部表面は第２の係止要素１３２の近位方向の端部表面１３４と接触する。これは薬剤搬送部シールドを拡張されシールドする位置で係止する。装置は今は廃棄してもよい。
【００４７】
以上で説明し図示された要素は構造のただの例にすぎず、望ましい最終結果を得るために同一または近似した機能を有する他の要素に置き換えてもよいことが理解される。さらに以上で説明し図示された実施例は単に本発明の非限定的な例とみなされ特許請求の範囲内で多くの方法で改変されてもよいことが理解される。
【図１】
2016527036.tif 000003
【図２】
2016527036.tif 000004
【図３ａ】
2016527036.tif 000005
【図３ｂ】
2016527036.tif 000006
【図４】
2016527036.tif 000007
【図５ａ】
2016527036.tif 000008
【図５ｂ】
2016527036.tif 000009
【図６】
2016527036.tif 000010
【図７】
2016527036.tif 000011
【図８】
2016527036.tif 000012
【図９】
2016527036.tif 000013
【図１０】
2016527036.tif 000014
【図１１ａ】
2016527036.tif 000015
【図１１ｂ】
2016527036.tif 000016
【図１２ａ】
2016527036.tif 000017
【図１２ｂ】
2016527036.tif 000018
【図１３ａ】
2016527036.tif 000019
【図１３ｂ】
2016527036.tif 000020
【図１４ａ】
2016527036.tif 000021
【図１４ｂ】
2016527036.tif 000022
【国際調査報告】
2016527036.tif 000023
2016527036.tif 000024